(57)【要約】【課題】組み付け作業性を向上する。【解決手段】エンジン冷却用のファン１６を設け、冷却風取り入れ口に防塵網を張設し、ファン１６の羽根１９を、ファン１６の一方向への回転に伴い風が防塵網をエンジン冷却方向で通過するように風を発生させる冷却姿勢とファン１６の一方向への回転に伴い風が防塵網を前記とは逆方向で通過するように風を発生させる除塵姿勢とに揺動切り換え自在に回転ボス部１８に装着し、回転ボス部１８の回転軸芯に沿った方向での移動に伴い羽根１９を揺動姿勢切り換えする操作手段を設ける。【選択図】        図９
2004224217.tif 000002
【特許請求の範囲】
【請求項１】
エンジン冷却用のファンを設け、冷却風取り入れ口に防塵網を張設してある収穫機のエンジン冷却装置であって、前記ファンの羽根を、ファンの一方向への回転に伴い風が防塵網をエンジン冷却方向で通過するように風を発生させる冷却姿勢とファンの一方向への回転に伴い風が防塵網を前記とは逆方向で通過するように風を発生させる除塵姿勢とに揺動切り換え自在に回転ボス部に装着し、前記回転ボス部の回転軸芯に沿った方向での移動に伴い羽根を揺動姿勢切り換えする操作手段を設けてある収穫機のエンジン冷却装置。
【請求項２】
前記羽根を冷却姿勢に揺動切り換え付勢する付勢手段を設けてある請求項１記載の収穫機のエンジン冷却装置。
【請求項３】
前記操作手段が、前記防塵網に対して遠い第１位置から近い第２位置に回転ボス部が回転軸芯に沿った方向で移動することで羽根を冷却姿勢から除塵姿勢に可逆的に揺動切り換える手段である請求項１又は２記載の収穫機のエンジン冷却装置。
【発明の詳細な説明】
【０００１】
【発明の属する技術分野】
本発明は、エンジン冷却用のファンを設け、冷却風取り入れ口に防塵網を張設してあるコンバインなど収穫機のエンジン冷却装置で、詳しくは、エンジンの出力軸にファンを連動させることによりファンを機械的に回転させるようにしてある装置に関する。
【０００２】
【従来の技術】
この種の収穫機のエンジン冷却装置では、エンジン冷却用の冷却風の取り入れに伴い防塵網に藁屑などの塵埃が付着し、防塵網の目詰まりを誘発して冷却風の取り入れを阻害する。そこで、従来では、エンジン出力軸からファンへの伝動系に正逆転切り換え機構を設けて適宜ファンを逆転駆動することで防塵網に付着した塵埃を吹き飛ばし除去して防塵網の目詰まりを解消するようにしていた（例えば、特許文献１参照。）。
【０００３】
【特許文献１】
実開平６ー４７６３０号公報
【０００４】
【発明が解決しようとする課題】
しかし、上記従来の技術によるときは、ファンへの伝動系に正逆転切り換え機構を設けてファンの回転方向を正逆切り換えすることで冷却風と除塵風とを発生させていたから、伝動系が大型化して、スペース面で伝動系の組み付け作業性が悪いものであった。
【０００５】
本発明の目的は、組み付け作業性を向上する点にある。
【０００６】
【課題を解決するための手段】
請求項１に係る本発明による収穫機のエンジン冷却装置の特徴・作用・効果は次の通りである。
【０００７】
〔特徴〕
エンジン冷却用のファンを設け、冷却風取り入れ口に防塵網を張設してある収穫機のエンジン冷却装置であって、前記ファンの羽根を、ファンの一方向への回転に伴い風が防塵網をエンジン冷却方向で通過するように風を発生させる冷却姿勢とファンの一方向への回転に伴い風が防塵網を前記とは逆方向で通過するように風を発生させる除塵姿勢とに揺動切り換え自在に回転ボス部に装着し、前記回転ボス部の回転軸芯に沿った方向での移動に伴い羽根を揺動姿勢切り換えする操作手段を設けてある点にある。
【０００８】
〔作用〕
ファンの羽根の姿勢を切り換えることにより、ファンの回転方向を変更することなく風の向きを冷却方向と除塵方向とに切り換えることができるから、ファンの回転方向を正逆切り換えするための大掛かりな正逆転切り換え機構が不要である。
しかも、前記羽根を装着する回転ボス部の回転軸芯に沿った方向での移動に伴い羽根を揺動姿勢切り換えするようにしてあるから、例えば、回転ボス部の内部にこの回転ボス部と一体回転する状態で配置させた操作部材を回転軸芯に沿った方向に移動させることにより羽根を揺動姿勢切り換えする場合に比較して、操作部材に、フォークなどで操作部材を回転軸芯に沿った方向に移動させるために回転ボス部から回転軸芯に沿った方向に外方突出させる状態で連設させる操作受け部を設ける必要がなく、ファン設置部の回転軸芯に沿った方向の幅を小さくすることができる。
【０００９】
〔効果〕
従って、風の向きを正逆切り換えするための構成の組み付け作業性を向上でき、しかも、ファン設置部を回転軸芯に沿った方向でコンパクトにできるようになった。
【００１０】
請求項２に係る本発明による収穫機のエンジン冷却装置の特徴・作用・効果は次の通りである。
【００１１】
〔特徴〕
上記請求項１に係る本発明による収穫機のエンジン冷却装置において、前記羽根を冷却姿勢に揺動切り換え付勢する付勢手段を設けてある点にある。
【００１２】
〔作用〕
付勢手段を設けて羽根を冷却姿勢に揺動付勢してあるから、操作手段が故障した場合、羽根が冷却姿勢になってエンジン冷却機能を維持することができる。
【００１３】
〔効果〕
従って、操作手段が故障した場合であってもエンジン冷却機能を維持できるようになった。
【００１４】
請求項３に係る本発明による収穫機のエンジン冷却装置の特徴・作用・効果は次の通りである。
【００１５】
〔特徴〕
上記請求項１や２に係る本発明による収穫機のエンジン冷却装置において、前記操作手段が、前記防塵網に対して遠い第１位置から近い第２位置に回転ボス部が回転軸芯に沿った方向で移動することで羽根を冷却姿勢から除塵姿勢に可逆的に揺動切り換える手段である点にある。
【００１６】
〔作用〕
羽根を冷却姿勢に切り換えてのエンジン冷却時には、回転ボス部、つまり、ファンを防塵網から遠い第１位置に位置させるようにしてあるから、ファンに対向する防塵網の全面から空気を吸い込んで防塵網が局所的に藁屑などの塵埃で目詰まりすることを防止できるのみならず、ラジエータの全面に冷却風を作用させることができる。他方、羽根を除塵姿勢に切り換えての防塵網に対する除塵時には、ファンを防塵網に近い第２位置に位置させるようにしてあるから、空気を防塵網に強く吹き付けることができて除塵を強力に行うことができる。
【００１７】
〔効果〕
従って、ファンを軸芯方向に移動させて風向を切り換えることに着目して、その風向切り換えのためのファン移動を合理的に行うことにより、エンジン冷却及び防塵網からの除塵をともに良好確実に行えるようになった。
【００１８】
【発明の実施の形態】
コンバインは、図１に示すように、クローラ走行装置１を備えた走行機体２の前部に、植立穀稈を刈り取って後方に搬送する刈取部３を昇降自在に連結し、前記走行機体２に、前記刈取部３からの穀稈を脱穀処理する脱穀装置４とこの脱穀装置４からの穀粒を貯溜するタンク５と搭乗運転部６とを脱穀装置４の左右横脇にタンク５が位置しこのタンク５の前部に搭乗運転部６が位置する状態で搭載して構成されている。
【００１９】
前記搭乗運転部６は、エンジン７を内装するボンネット８の上部に運転座席９を搭載支持させ、この運転座席の９の前方部に操縦塔１０を配置した構造を備えている。
【００２０】
図２〜図４に示すように、前記ボンネット８の左右外側板部には、防塵網１１が張設された冷却風取り入れ口１２が形成されており、この冷却風取り入れ口１２と前記エンジン７との間には、ラジエータ１３が配置され、前記エンジン７のうちこのラジエータ１３に対向する部分には、エンジン７の出力軸７ａにより伝動ベルト１４を介してウォータポンプ１５とともに駆動されるエンジン冷却用のファン１６が取り付けられている。
【００２１】
前記ファン１６は、図５〜図９に示すように、前記伝動ベルト１４を介して駆動される六角軸利用の駆動軸１７と一体に回転する回転ボス部１８に回転に伴って起風する周方向複数の羽根１９を装着して構成されている。前記各羽根１９は、回転半径方向に沿った姿勢の回転ボス部１８への取り付け用の支軸２０とこの支軸２０に固着した羽根体２１とからなり、そして、羽根１９は、支軸２０のその軸芯周りでの回転により、ファン１６の一方向への回転に伴い防塵網１１・ラジエータ１３とその記載順に風が通過することでラジエータ１３を冷却するように風を発生させる冷却姿勢とファン１６の一方向への回転に伴い前記とは逆方向でラジエータ１３・防塵網１１とその記載順に風が通過することで防塵網１１に付着の藁屑などの塵埃を吹き飛ばし除去するように風を発生させる除塵姿勢とに切り換え自在なものである。前記羽根１９は、冷却姿勢にあるときの受風面１９ａの裏側の面を防塵姿勢にあるときの受風面とするように姿勢を切り換えるものである。
【００２２】
前記複数の羽根１９を一括的に姿勢切り換えする操作手段は、前記回転ボス部１８を回転軸芯に沿った方向に設定範囲で移動自在に構成し、この回転ボス部１８の凹部１８ａに入る状態で駆動軸１７と一体に回転する操作部材２２を回転軸芯に沿った方向で位置固定状態に設け、前記羽根１９の支軸２０の凹部内端部に一体回転状態に装着したアーム２４にピン状の係合部２３を固着し、前記係合部２３に係合して前記回転ボス部１８が回転軸芯に沿った方向に移動することによりアーム２４を揺動させて羽根１９を冷却姿勢と除塵姿勢との間で揺動させるフォーク状の操作部２５を前記操作部材２２に形成し、前記回転ボス部１８を回転軸芯に沿って移動させる駆動手段を設けて構成されている。
そして、操作手段は、図９の（イ）（ロ）に示すように、回転ボス部１８をラジエータ１３、つまり、防塵網１１から遠い第１位置ｐ１に位置させることで羽根１９を冷却姿勢にし、防塵網１１に近い第２位置ｐ２に位置させることで羽根１９を除塵姿勢にするものである。
【００２３】
前記駆動手段は、前記回転ボス部１８を第１位置ｐ１側に移動付勢するスプリング３０を設け、前記駆動軸１７に対して直交する軸芯周りで一方向に揺動することにより前記回転ボス部１８を付勢に抗して第２位置ｐ２に移動させるシフトフォーク２６を設け、このシフトフォーク２６をワイヤ３１を介して付勢に抗して揺動させるための操作レバー３２と、この操作レバー３２に形成したセクターギヤ３３に噛み合って操作レバー３２を付勢に抗して揺動させる駆動ピニオンギヤ３４を設け、この駆動ピニオンギヤ３４を回転並びに位置保持するアクチュエータであるところのギヤードモータ２７を設け、このギヤードモータ２７の起動スイッチを操作するための操作具２８を設け、操作具２８の起動スイッチ操作でギヤードモータ２７が第１位置ｐ１相当位置側に回転してその相当位置にまで回転したとき操作レバー３２に押圧されてギヤードモータ２７を停止させる第１停止スイッチ３５と、操作具２８の起動スイッチ操作でギヤードモータ２７が第２位置ｐ２相当位置側に回転してその相当位置にまで回転したとき操作レバー３２に押圧されてギヤードモータ２７を停止させる第２停止スイッチ３６とを設けて構成されている。
【図面の簡単な説明】
【図１】コンバインの側面図
【図２】エンジン冷却構造の縦断正面図
【図３】エンジン冷却構造の横断平面図
【図４】エンジンの正面図
【図５】冷却用のファンの操作手段を示す切り欠き正面図
【図６】冷却用のファンの操作手段を示す切り欠き側面図
【図７】冷却用のファンの操作手段を示す切り欠き側面図
【図８】操作手段要部の動きを示す切り欠き正面図
【図９】操作手段要部の動きを示す平面図
【符号の説明】
１６      ファン
１２      冷却風取り入れ口
１１      防塵網
１９      羽根
１８      回転ボス部
ｐ１      第１位置
ｐ２      第２位置
【図１】
2004224217.tif 000003
【図２】
2004224217.tif 000004
【図３】
2004224217.tif 000005
【図４】
2004224217.tif 000006
【図５】
2004224217.tif 000007
【図６】
2004224217.tif 000008
【図７】
2004224217.tif 000009
【図８】
2004224217.tif 000010
【図９】
2004224217.tif 000011